(57)【特許請求の範囲】
【請求項１】
軸(3)にて複数個の回転子(2)を枠体(1)に軸支し、枠体(1)の下端に支持片(4)を当接支持し、回転子(2)と支持片(4)との間に無端印字ベルト(5)を張設し、上部に中継部材(7)を設けてなる印字体(6)を、
中間位置に一対の相対する開口窓(23)を設け、開口窓(23)間には一対のガイド片(14)を設け、ガイド片(14)には軸線方向に延びる垂直ガイド溝(15B)、周方向に延びる円周ガイド溝(15A)からなるガイド溝(15)を設け、下方部に係合部(28)を設け、下方端を露呈し、上方に支持棚(21)を設けてなる筒状の本体(10)の内部に上下摺動可能に配し、
本体(10)の上方に押圧鍔(29)を設けて、押圧鍔(29)と前記支持棚(21)の間に弾発部材(9)を当接させ、
窓(35)を穿設した固定印(12)を保持して窓(22)を穿設した固定印受(20)を、前記係合部(28)と着脱自在に係合し、
上方に印字体の高さを調節する調節部(8)を螺子係合し、下方開口端内壁に前記ガイド溝と係合する誘導突起(17)を設けた外装体(11)によって、前記印字体(6)及び本体(10)を覆ってなる回転印であって、
外装体(11)を周方向に回転させ、誘導突起(17)を円周ガイド溝(15A)に位置させると本体(10)と外装体(11)とが固定され、
誘導突起(17)を垂直ガイド溝(15B)の下方に位置させると、前記弾発部材(9)が前記押圧鍔及び前記押圧鍔に当接する前記調節部を上方に持ち上げることにより外装体(11)を一部開放状態とし、回転子(2)を本体(10)の開口窓(23)から露呈し、無端印字ベルト(5)を回転可能としたことを特徴とする回転印。
【請求項２】
軸(3)にて複数個の回転子(2)を枠体(1)に軸支し、枠体(1)の下端に支持片(4)を当接支持し、回転子(2)と支持片(4)との間に無端印字ベルト(5)を張設し、上部に中継部材(7)を設けてなる印字体(6)を、
中間位置に一対の相対する開口窓(23)を設け、開口窓(23)間には一対のガイド片(14)を設け、ガイド片(14)には軸線方向に延びる垂直ガイド溝(15B)、周方向に延びる円周ガイド溝(15A)からなるガイド溝(15)を設け、下方部に係合部(28)を設け、下方端を露呈してなる筒状の本体(10)の内部に上下摺動可能に配し、
本体(10)の上方開口端に孔(19)を設けた蓋板(30)を係合させ、枠体(1)が孔(19)を貫通し、枠体(1)の天面(41)と蓋板(30)の間に弾発部材(9)を当接し、
窓(35)を穿設した固定印(12)を保持して窓(22)を穿設した固定印受(20)を、前記係合部(28)と着脱自在に係合し、
上方に印字体の高さを調節する調節部(8)を螺子係合し、下方開口端内壁に前記ガイド溝と係合する誘導突起(17)を設けた外装体(11)によって、前記印字体(6)及び本体(10)を覆ってなる回転印であって、
外装体(11)を周方向に回転させ、誘導突起(17)を円周ガイド溝(15A)に位置させると本体(10)と外装体(11)とが固定され、
誘導突起(17)を垂直ガイド溝(15B)の下方に位置させると、前記弾発部材(9)が前記押圧鍔及び前記押圧鍔に当接する前記調節部を上方に持ち上げることにより外装体(11)を一部開放状態とし、回転子(2)を本体(10)の開口窓(23)から露呈し、無端印字ベルト(5)を回転可能としたことを特徴とする回転印。
【発明の詳細な説明】
【０００１】
【産業上の利用分野】
本発明は、複数個の無端印字ベルトと、下端に固定印を有し、バネ（弾発部材）を使用する携帯に便利な日付印等に関するものである。
【０００２】
【従来の技術】
この種の発明は、従来より実開昭５８−３９８７４号（以下（イ）とする。）実公昭５９−１９３６０号（以下（ロ）とする。）、実公平２−２５６４７号（以下（ハ）とする。）、実公平３−５６３７２号（以下（ニ）とする。）がある。  （イ）は、バネ１０により上方に枠体１を上方に保持させている。
しかし、（イ）は、外装体がスライドする構成ではなく、バネ１０もダイヤル３よりも下方に位置し本願とは構成を異にしている。
（ロ）は、本発明と同様回転ダイヤル印に関するものであり、把持筒２６と筒体１を開放して、回転ダイヤル（回転子）１７を露呈するには、把持筒２６と筒体１を上下方向に引けばよい。また、逆に係合させるには、明細書中にもある様に、係合突起３１と係合あな３２、３３とが係合する。尚、下方のバネ部材２０により印字ユニット１を上方に持ち上げている構成である。したがって、（イ）と同様本願とは構成を異にしている。
【０００３】
（ハ）は、印字ユニット１の下方にばね部材２０をデッドスペースＳに設定しており主ケース２と化粧ケース３を上下に引っ張り上げて回転ダイヤル９を露呈する。この時、印字ユニット１はばね部材２０により上方に押し上げられ回転ダイヤル９を回転可能にする。
したがって、本願とはばね部材の設定方法、及び、主ケース２と化粧ケース３の係脱方法が異なる。
また、（イ）・（ロ）・（ハ）は全て、下方でバネ部材を設けて応力を掛けているのでインキによる部材の変化、変形が起こりやすい。
（ニ）は、同様回転ダイヤル印であり、把持筒３と主ケ−ス２の係脱は、ロックリング４１により係脱させるものである。
しかし、ロックリング４１を使用することで、部品点数も多くなり、コスト高となり、更には、ロックリング４１を確実に片手で回転させないと係脱出来ないといった不便性がある。なぜなら、ロックリング４１を大きくすることは不可能で、これを大きくすると回転子の露呈と操作が行いずらい。
【０００４】
【発明が解決しようとする課題】
ロックリングを使用せず、確実・容易に回転させて外装体と本体の係脱を行ない、回転子を露呈させる。
更に、把持筒と主ケースを開放する際に前記把持筒と前記主ケースが分離せず、把持筒の紛失を防止することと、把持筒と主ケースの係合を外すと弾発部材等で印字体を上方に移動させ、無端印字ベルトが回転可能となるとともに外装体も上方に移動し使用しやすくすることも目的とする。
また、更に無端印字ベルトと固定印の印面高さを調節する調節部を回しやすくし、調節しやすくすることを目的とする。
【０００５】
【課題を解決するための手段】
軸(3)にて複数個の回転子(2)を枠体(1)に軸支し、枠体(1)の下端に支持片(4)を当接支持し、回転子(2)と支持片(4)との間に無端印字ベルト(5)を張設し、上部に中継部材(7)を設けてなる印字体(6)を、
中間位置に一対の相対する開口窓(23)を設け、開口窓(23)間には一対のガイド片(14)を設け、ガイド片(14)には軸線方向に延びる垂直ガイド溝(15B)、周方向に延びる円周ガイド溝(15A)からなるガイド溝(15)を設け、下方部に係合部(28)を設け、下方端を露呈し、上方に支持棚(21)を設けてなる筒状の本体(10)の内部に上下摺動可能に配し、
本体(10)の上方に押圧鍔(29)を設けて、押圧鍔(29)と前記支持棚(21)の間に弾発部材(9)を当接させ、
窓(35)を穿設した固定印(12)を保持して窓(22)を穿設した固定印受(20)を、前記係合部(28)と着脱自在に係合し、
上方に印字体の高さを調節する調節部(8)を螺子係合し、下方開口端内壁に前記ガイド溝と係合する誘導突起(17)を設けた外装体(11)によって、前記印字体(6)及び本体(10)を覆ってなる回転印であって、
外装体(11)を周方向に回転させ、誘導突起(17)を円周ガイド溝(15A)に位置させると本体(10)と外装体(11)とが固定され、
誘導突起(17)を垂直ガイド溝(15B)の下方に位置させると、前記弾発部材(9)が前記押圧鍔及び前記押圧鍔に当接する前記調節部を上方に持ち上げることにより外装体(11)を一部開放状態とし、回転子(2)を本体(10)の開口窓(23)から露呈し、無端印字ベルト(5)を回転可能としたことを特徴とする回転印。及び、
軸(3)にて複数個の回転子(2)を枠体(1)に軸支し、枠体(1)の下端に支持片(4)を当接支持し、回転子(2)と支持片(4)との間に無端印字ベルト(5)を張設し、上部に中継部材(7)を設けてなる印字体(6)を、
中間位置に一対の相対する開口窓(23)を設け、開口窓(23)間には一対のガイド片(14)を設け、ガイド片(14)には軸線方向に延びる垂直ガイド溝(15B)、周方向に延びる円周ガイド溝(15A)からなるガイド溝(15)を設け、下方部に係合部(28)を設け、下方端を露呈してなる筒状の本体(10)の内部に上下摺動可能に配し、
本体(10)の上方開口端に孔(19)を設けた蓋板(30)を係合させ、枠体(1)が孔(19)を貫通し、枠体(1)の天面(41)と蓋板(30)の間に弾発部材(9)を当接し、
窓(35)を穿設した固定印(12)を保持して窓(22)を穿設した固定印受(20)を、前記係合部(28)と着脱自在に係合し、
上方に印字体の高さを調節する調節部(8)を螺子係合し、下方開口端内壁に前記ガイド溝と係合する誘導突起(17)を設けた外装体(11)によって、前記印字体(6)及び本体(10)を覆ってなる回転印であって、
外装体(11)を周方向に回転させ、誘導突起(17)を円周ガイド溝(15A)に位置させると本体(10)と外装体(11)とが固定され、
誘導突起(17)を垂直ガイド溝(15B)の下方に位置させると、前記弾発部材(9)が前記押圧鍔及び前記押圧鍔に当接する前記調節部を上方に持ち上げることにより外装体(11)を一部開放状態とし、回転子(2)を本体(10)の開口窓(23)から露呈し、無端印字ベルト(5)を回転可能としたことを特徴とする回転印。
【０００６】
【作用】
キャップ１３の底面にインキパッドを設けており、不使用時には、常に固定印１２と無端印字ベルト５が当接されてインキを供給している。
本発明の回転印を使用するには、キャップ１３と本体１０の突部３４（クリック嵌合）を、前記キヤップ１３を下方に引っ張ることによって解除し、本体１０の下方部と固定印１２を露呈し、更に、前記固定印１２に穿設された窓２２より無端印字ベルト５を露呈している。この状態で捺印物に対して、押圧捺印可能である。
更に、日付等を変更しようとするならば、上記状態から外装体１１と本体１０をもって一定方向に回転させる。すると、外装体１１の下方開口端内面に設けられた誘導突起１７は、本体１０の表面に設けられた、円周方向のガイド溝１５Ａに誘導される。誘導突起１７は、常時は円周方向のガイド溝１５Ａの固定端３３に当接しているが、外装体１１の回転とともに、ガイド片１４の表面に設けられた縦方向のガイド溝１５Ｂの下方に位置する。
【０００７】
この時、回転子２の上方に設けられた弾発部材９は、中継部材７より上方へ立設した、押圧鍔２９に一方端を、本体１０の上方内壁に、設けた支持棚に他方端を当接支持されている。
従って、外装体１１の上方開口端内壁により押圧鍔２９そして、弾発部材９を押圧しながら上記回転を行なっている。
次に、誘導突起１７は、ガイド片１４に設けられたガイド溝１５Ｂに位置しているので、外装体１１を一部開放するとともに、印字体６を上方に弾発移動させ上方への移動規制を支持棚２１によって行なっている。
【０００８】
更に、最後まで外装体１１を上方に引き上げるとガイド溝１５Ｂの上方に設けられた上端面１５Ｃに誘導突起１７が当接されて止まり、開口窓２３が全開になる。
そして、回転子２を完全に露呈し、回転可能となし無端印字ベルト５の回転を行なえる。また、外装体１１と本体１０が外れることはない。
次に、変更し終わると上記とは逆に作動させ、再び捺印可能な状態にもどる。
この時、キャップ１３の内底に設けられたインキパッド２４に固定印１２と無端印字ベルト５の最下端面を当接させて、インキを転写塗布し次の捺印にそなえ捺印可能となる。
実施例２では、枠体１の天面との間に弾発部材９を支持し、前記枠体１の天面には、外装体１１と螺子係合した調節部８が当接している構成であるので基本的作用は第１の実施例の作用と変わらない。
【０００９】
【実施例】
本発明の第１の実施例を図１、図２、図３、図４、図５より詳細に説明する。
１は、コ字状の枠体であり、上部には中継部材７が固定して設けられており、中間部に軸３を支持する支持溝２５を設け、下部には支持片４を保持する切欠２６を設けている。更に、中継部材７には雄螺子３９を設けている。
２は、回転子であり回転子２には、のこ歯状になった作用部３１と無端印字ベルト５が掛けられ張設される無端印字ベルト掛部３２とからなり、回転子２（２Ａ、２Ｂ）と同数の無端印字ベルト５を掛け張設されており、数個の回転子２を軸３により回転可能に軸支され、枠体１の支持溝２５に前記軸３により支持されている。
支持溝２５は、組付け時に使用する導入溝と軸３を支持する固定溝とからなる。
【００１０】
４は、支持片であり、枠体１のコ字状の両端に設けられた切欠２６に当接支持され、回転子２との間で無端印字ベルト５を張設する。
６は、印字体であり、中継部材７を含む枠体１、軸３、回転子２、支持片４、及び無端印字ベルト５よりなるものである。
７は、中継部材であり、枠体１の天面に設けられ、上方に立設した押圧鍔２９を外周に設けて、下面で弾発部材９を押圧当接し、上面を外装体１１の上方開口端の内壁に当接している。
また、中心には調節部８と当接する当接面３６を設けて、固定印１２からの無端印字ベルト５の露呈を調節している。
８は、調節部であり、下部には雄螺子３９が設けられており、本体１０の上方開口端の雌螺子４０と螺子係合している。
したがって、調節部８を回動させると螺子係合されている中継部材７の雄螺子３９と雌螺子４０の係合量をもって印字体６を本体１０内を上下摺動可能にして、無端印字ベルト５の最下位置の高さを調整している。これにより、固定印１２と無端印字ベルト５の印面位置を同一高さに調整できる。
【００１１】
９は、弾発部材であり、使用するのは圧縮コイルスプリングである。
弾発部材９は、回転子２より上方に設けられており、外装体１１と本体１０の相対位置により印字体６及び外装体１１を上方に一部弾発移動させる作用を有する。また、弾発部材９の下方端は支持棚２１に当接され、一方端（上端）は押圧鍔２９の下面に当接され、他方端（下端）は、支持棚２１に当接され、前記弾発部材９は印字体６、及び外装体１１を上方に弾発しようとする作用を有することになる。
１０は、筒状の本体であり、中間位置には一対の相対する開口窓２３が設けられている。また、９０゜位相（開口窓２３の間）にガイド片１４があり表面には、縦方向（軸線と平行方向）にガイド溝１５Ｂを設けており、ガイド溝１５Ｂの上方延長上には導入片１６が設けられている。
導入片１６は、バネ性を持たせた片であり、上辺、両側辺には切欠溝があり、下辺は連結されている。
また、ガイド溝１５Ｂの最下部より周方向にガイド溝１５Ａ（軸線に対して周方向）が連通している。
【００１２】
前記本体１０の下方部には係合部２８が設けられ、固定印１２を有する固定印受２０が、着脱自在に係合している。また、本体１０の内部には印字体６を配しており、無端印字ベルト５の最下端の位置を固定印１２と同一印面位置から固定印受２０の窓２２より上方位置まで上下摺動自在に設けている。
更に、前記本体１０には、固定印１２及び窓３５から露呈する無端印字ベルト５を覆うように、キャップ１３が着脱自在に係合する突部３４を設けている。
前記印字体６の摺動により前記固定印受２０の窓２２より上方位置まで摺動して、更に外装体１１を上方に引き上げると誘導突起１７はガイド溝１５Ｂの上端面１５Ｃに当接して回転子２を完全に露呈して、無端印字ベルト５の印字部分を変えることが可能となる。
また、この時、印字体６の上方への移動規制は、支持棚２１と枠体１の当接により行なっている。
【００１３】
１１は、筒状の外装体であり、外装体１１の上部に螺子係合した調節部８を覆い隠す様に調節部キャップ２７を着脱自在に嵌着させており、下方開口端内壁には相対する一対の誘導突起１７を設けている。
前記外装体１１は、常時は誘導突起１７がガイド溝１５Ａの固定端３３に位置しており外装体１１と本体１０が係合し、当然開口窓２３を覆っている。
誘導突起１７は、前記ガイド溝１５（ガイド溝１５Ａ、１５Ｂ）に当接誘導される。
【００１４】
外装体１１の上方開口端には、調節部８を螺子係合しており、調節部８の下端を中継部材７の当接面３６に当接させて、印字体６の無端印字ベルト５の高さと固定印１２の高さと同一に調節している。
１３は、有底筒状のキャップであり底には、インキを含浸したインキパッド２４を設けており、本体１０の外周面に設けられた突部３４に着脱自在に係合する。また前記インキパッド２４は弾発部材により弾発支持されていてもよい。
不使用時には、キャップ１３の底面に設けられたインキパッド２４に固定印１２と無端印字ベルト５が当接されてインキを供給している。
前記キャップ１３を取り外し捺印する。
【００１５】
次に、本発明の回転印を組み付けるには、枠体１の下部に支持片４を保持させ、無端印字ベルト５を掛けた回転子２を数組、軸３に回転自在に支持させ、前記軸３を前記枠体１の中間部に設けられた支持溝２５に保持させ、前記支持片４とで、無端印字ベルト５を張設支持している。
この枠体１の上部には、中継部材７を設けて印字体６としている。弾発部材９の下端を本体１０の支持棚２１に当接支持し、上方より前記印字体６を本体１０内部に上下摺動自在に配設している。
こうして、中継部材７の押圧鍔２９に弾発部材９の一方端を当接させ、印字体６を弾発支持している。
また、外装体１１の上方開口端には、調節部８を螺子係合しており、調節部８の下方への突出量により印字体６の無端印字ベルト５の露呈高さと固定印１２の高さと同一位置に調節している。
【００１６】
次に、本体１０に外装体１１を上方より覆い被せる。この時、誘導突起１７の位置をガイド溝１５Ｂの延長上に位置させ、上方より無理入れを行ない、前記誘導突起１７とガイド溝１５Ｂに上下摺動自在に組みつける。
また、無理入れのほかに、ガイド溝１５Ｂの上方延長上にガイド溝１５Ｂとは連通しない導入片１６を設ければ更に、外装体１１の組み付けが行ないやすくなる。この時、導入片１６は、内側にたわみ、誘導突起１７をガイド溝１５Ｂに無理に入れやすくする。
【００１７】
前記ガイド溝１５Ｂに沿って外装体１１を押し下げ、前記外装体１１の上方開口端内壁に中継部材７の押圧鍔２９を押圧当接させながら、前記誘導突起１７を下方に移動させ、更に、本体１０の周方向に設けられたガイド溝１５Ａに、前記誘導突起１７を移動させ、固定端３３近くのガイド溝１５Ａは、浅くなっているので誘導突起１７を外側に押圧し、外装体１１を固定させるとともに固定印受２０に設けられた、固定印１２の窓３５から露呈された無端印字ベルト５の最下方端の位置と固定印１２と同一印面位置にすることが出来、捺印可能とする。
最後に、外装体１１の上方より調節部キャップ２７を着脱自在に嵌合させ、下方よりキャップ１３を着脱自在に嵌合して、組付けられる。
【００１８】
本発明の回転印の日付等を変更しようとするならば、外装体１１と本体１０をもって左右どちらかに回転させる。すると、外装体１１の下方内壁面に設けられた誘導突起１７は、固定端３３近くのガイド溝１５Ａの浅いところから出て本体１０の外周面に設けられた円周方向のガイド溝１５Ａによって誘導される。
更に、誘導突起１７は、外装体１１の回転とともに、ガイド片１４の縦方向ガイド溝１５Ｂの下方に位置する。
すると外装体１１の上方開口端は、中継部材７の押圧鍔２９に当接しており弾発部材９に抗して下方に押圧されているので誘導突起１７がガイド溝１５Ｂの下方に位置すると、外装体１１、印字体６は弾発部材９により上方に弾発移動する。すると、外装体１１は、少し開放した状態になり印字体６は、上方に位置するとともに無端印字ベルト５の最下点が窓２２より上方に位置する。
【００１９】
更に、この状態で外装体１１を縦方向に引き上げると、誘導突起１７は、縦方向ガイド溝１５Ｂに誘導され、上方に移動して回転子２を露呈することとなる。この状態で回転子２を回転させて、日付を変更する。変更し終わると上記とは逆に作動させ、再び捺印可能な状態にもどる。
更に又、無端印字ベルト５の最下印面位置と固定印１２の印面位置と同一にするには、調節部キャップ２７と外装体１１の上部とのクリック嵌合を解除する。すると、外装体１１に螺子係合されている調節部８は露呈され、回転させると中継部材７と当接しているので螺子係合量の多少で印字体６の無端印字ベルト５を窓３５より露呈し、この量を調節する。
【００２０】
第２の実施例は、図６、図７により詳細に説明すると、弾発部材９の上端が枠体１の天面４１に当接支持され、下端を蓋板３０の上面に当接させている。
蓋板３０は、本体１０の上方開口端と嵌合固定しており、枠体１に設けられた孔１９を貫通させている。これにより、印字体６は、蓋板３０と弾発部材９により弾発支持されている。
調節部８は、外装体１１の上方開口端に螺子係合され、枠体１の天面に当接し、印字体６の無端印字ベルト５と、固定印１２の印面高さを調節する。
第２の実施例の回転印を組付けるには、本体１０の上方開口端に嵌合固定する蓋板３０を枠体１の孔１９に貫通させ、枠体１の下部に支持片４を保持させ、無端印字ベルト５を掛けた回転子２を数組、軸３に回転自在に支持させて第１の実施例と同様に組みつけ印字体６としている。
その後、弾発部材９を蓋板３０と枠体１の天面とに配設し、誘導突起１７をガイド溝１５Ｂの位置に合わせて、上方より本体１０を覆いかくす様に外装体１１を下方に移動させる。
【００２１】
材質については、本体１０、枠体１、支持片４、固定印受２０、蓋板３０、外装体１１、回転子２、調節部８、キャップ１３、調節部キャップ２７は、熱可塑性樹脂や熱硬化性樹脂の合成樹脂であるが、枠体１、支持片４は金属部品であってもよい。
【００２２】
【効果】
以上の様な構成であるので、ロックリングを使用せず、確実に容易に回転させて外装体１１と本体１０とを係脱させて、回転子２を露呈させることができる。また、こうすることによって部品点数、コストダウンを可能とする。
更に、外装体１１を開けて、回転子２を回動する際、インキより離して上部に弾発部材９を設けたことにより、インキによるクラック等部材の変形がなくなった。また、印字体６だけでなく外装体１１をも弾発部材９により上方に移動させることが出来るので、使用しやすく、更には、外装体１１と本体１０が分離することがないので外装体１１を無くすこともない。
更にまた、外装体１１に調節部８を設けて、印字体６に当接させて直接調節部８によって弾発部材９を支持していないので、印面高さを調節しやすい。
【００２３】
【図面の簡単な説明】
【図１】本発明の第１の実施例の断面図
【図２】本発明の第１の実施例の外装体１１の開放断面図
【図３】本発明の第１の実施例の一部部品の斜視図
【図４】本発明の第１の実施例の誘導突起１７がガイド溝１５Ａに位置している略説明図
【図５】本発明の第１の実施例の誘導突起１７がガイド溝１５Ｂに位置している略説明図
【図６】本発明の第２の実施例の断面図
【図７】本発明の第２の実施例の蓋板の斜視図
【００２４】
【符号の説明】
１：枠体
２：回転子
３：軸
４：支持片
５：無端印字ベルト
６：印字体
７：中継部材
８：調節部
９：弾発部材
１０：本体
１１：外装体
１２：固定印
１３：キャップ
１４：ガイド片
１５：ガイド溝
１５Ａ：ガイド溝
１５Ｂ：ガイド溝
１６：導入片
１７：誘導突起
１９：孔
２０：固定印受
２１：支持棚
２２：窓
２３：開口窓
２４：インキパッド
２５：支持溝
２６：切欠
２７：調節部キャップ
２８：係合部
２９：押圧鍔
３０：蓋板
３１：作用部
３２：無端印字ベルト掛部
３３：固定端
３４：突部
３５：窓
３６：当接面
３９：雌螺子
４０：雄螺子
４１：天面
【図１】
0003712467.tif 000002
【図２】
0003712467.tif 000003
【図３】
0003712467.tif 000004
【図４】
0003712467.tif 000005
【図５】
0003712467.tif 000006
【図６】
0003712467.tif 000007
【図７】
0003712467.tif 000008